(57)【要約】【課題】画面に表示される映像に対するトリミング処理の有無の設定を保存できる映像表示装置を実現する。【解決手段】デジタルテレビジョン受信機１１において映像を表示する画面である映像表示器１４には、２つの映像を並べて表示するための２つのサブ画面が設定される。各サブ画面に表示する映像は、ユーザの要求に応じて、トリミング処理を施して表示することができる。各サブ画面に対するトリミング処理の有無に関する設定の情報は、ＲＡＭ６７、もしくは不揮発性メモリ６８に格納され、変更があった場合には更新される。チャンネルを切り換えた場合にはＲＡＭ６７、もしくは不揮発性メモリ６８に格納された該情報に従うことで、また、電源をオンにした場合には不揮発性メモリ６８に格納された該情報に従うことで、各サブ画面におけるトリミング処理の設定を維持することができる。【選択図】図３
2010093861.tif 000002
【特許請求の範囲】
【請求項１】
所定の指示に応じて、複数のサブ画面のそれぞれに映像を表示する映像表示手段と、
前記複数のサブ画面が表示された状態で、前記サブ画面それぞれに対し、ユーザによる指示を受け、トリミング処理を施すトリミング手段と、
前記サブ画面毎の前記トリミング処理の情報を記憶する記憶手段とを具備することを特徴とする映像表示装置。
【請求項２】
前記記憶手段は、前記サブ画面毎の前記トリミング処理の情報を記憶する不揮発性メモリを具備することを特徴とする請求項１記載の映像表示装置。
【請求項３】
前記トリミング手段は、前記サブ画面に表示される映像が切り換えられた場合、もしくは電源がオンにされた場合に、前記サブ画面毎の前記トリミング処理の情報に従って、前記複数のサブ画面の各々に対してトリミング処理を施すことを特徴とする請求項１記載の映像表示装置。
【請求項４】
前記サブ画面毎の前記トリミング処理の情報を表示するトリミング情報表示手段をさらに具備することを特徴とする請求項１記載の映像表示装置。
【請求項５】
前記トリミング手段は、サブ画面のアスペクト比を変更する手段及びサブ画面のサイズを変更する手段の少なくとも一方を含むことを特徴とする請求項１記載の映像表示装置。
【請求項６】
前記トリミング手段は、アスペクト比１６：９のサブ画面の映像の左右端部の帯状部分以外の部分を拡大してアスペクト比４：３のサブ画面の映像を作成することを特徴とする請求項１記載の映像表示装置。
【請求項７】
所定の指示に応じて、複数のサブ画面のそれぞれに映像を表示する映像表示ステップと、
前記複数のサブ画面が表示された状態で、前記サブ画面それぞれに対し、ユーザによる指示を受け、トリミング処理を施すトリミングステップと、
前記サブ画面毎の前記トリミング処理の情報を記憶する記憶ステップとを具備することを特徴とする映像表示装置。
【請求項８】
前記記憶ステップは、前記サブ画面毎の前記トリミング処理の情報を記憶する不揮発性メモリを具備することを特徴とする請求項７記載の映像表示方法。
【請求項９】
前記トリミングステップは、前記サブ画面に表示される映像が切り換えられた場合、もしくは電源がオンにされた場合に、前記サブ画面毎の前記トリミング処理の情報に従って、前記複数のサブ画面の各々に対してトリミング処理を施すことを特徴とする請求項７記載の映像表示方法。
【請求項１０】
前記サブ画面毎の前記トリミング処理の情報を表示するトリミング情報表示ステップをさらに具備することを特徴とする請求項７記載の映像表示方法。
【請求項１１】
前記トリミングステップは、サブ画面のアスペクト比を変更すること及びサブ画面のサイズを変更することの少なくとも一方を含むことを特徴とする請求項７記載の映像表示方法。
【請求項１２】
前記トリミングステップは、アスペクト比１６：９のサブ画面の映像の左右端部の帯状部分以外の部分を拡大して、アスペクト比４：３のサブ画面の映像を作成することを特徴とする請求項７記載の映像表示方法。
【発明の詳細な説明】
【技術分野】
【０００１】
本発明は、例えば二画面表示が可能なテレビジョン受信機等の複数映像を表示可能な映像表示装置、および映像表示方法に関する。
【背景技術】
【０００２】
近年、ＨＤ（High Definition）やＦｕｌｌＨＤ（Full High Definition）規格に基づく高解像度の表示が可能なテレビジョン受信機が普及してきている。このような高解像度のテレビジョン受信機では、複数のサブ画面を設定して、サブ画面のそれぞれに複数の映像を同時に並べて表示する多画面表示機能が設けられていることが多い。この機能によりユーザは、複数の映像を同時に視認して把握することができる。
【０００３】
また、テレビジョン受信機には、デジタル放送信号、アナログ放送信号、家庭用ビデオゲーム機から出力される映像信号等、さまざまな映像信号が入力される。このような映像信号においては、その規格がそれぞれ異なり、映像のアスペクト比にも違いが見られる。現行の大半のテレビジョン受信機の画面のアスペクト比は１６：９であるので、二画面表示においてもアスペクト比１６：９のサブ画面を左右に２つ並べて表示している。このため、アスペクト比４：３の映像をアスペクト比１６：９のサブ画面に表示すると、左右に無信号の黒い帯状部分が表示される。また、映像の主要部は中央部に捉えられていることが多く、左右の端部付近の映像は二画面表示では表示されなくても良い場合があると考えられる。
【０００４】
そこで、アスペクト比１６：９のサブ画面の映像の左右の帯領域をカットして、残りの部分を拡大してアスペクト比４：３のサブ画面の映像とする（以下、この処理をトリミングと称する）ことにより、サブ画面を実質的に拡大することができる。トリミングはサブ画面毎にユーザの指定により実施される。
【０００５】
特許文献１には、複数の画像から所望の画像範囲を切り出したサイズの異なる複数の画像を同じ大きさにし、一画面のマルチ画像として合成する画像処理装置が開示されている。また、特許文献２には、映像信号を表示する親画面に対して、別の映像信号の一部を切り出して表示する子画面を合成する多画面表示テレビジョン受像機が開示されている。これらの装置においては、切り出しにより所定の大きさにした複数の映像（画像）を、画面に対して同時に表示することができる。
【先行技術文献】
【特許文献】
【０００６】
【特許文献１】特開平１１−２５０２２３号公報
【特許文献２】特開平７−４６５０６号公報
【発明の概要】
【発明が解決しようとする課題】
【０００７】
しかし、画面に表示される各映像に対する切り出し処理の有無は電源をオフにした場合やテレビジョン受信機においてチャンネルを切り換えた場合等に失われる。
【０００８】
したがって、サブ画面毎の切り出し処理の有無を記憶し、記憶した情報を参照することで、チャンネルが切り換えられた場合や電源が再投入された場合に表示される映像において、切り出し処理の有無の設定が維持される新たな手段の実現が必要である。
【０００９】
本発明は上述の事情を考慮してなされたものであり、表示される映像に対するトリミング処理の有無の設定を保存できる映像表示装置および映像表示方法を提供することを目的とする。
【課題を解決するための手段】
【００１０】
以上の課題を解決するため、本発明の一つの形態に係る映像表示装置は、所定の指示に応じて、複数のサブ画面のそれぞれに映像を表示する映像表示手段と、前記複数のサブ画面が表示された状態で、前記サブ画面それぞれに対し、ユーザによる指示を受け、トリミング処理を施すトリミング手段と、前記サブ画面毎の前記トリミング処理の情報を記憶する記憶手段とを具備することを特徴とする。
【００１１】
本発明の他の態様に係る映像表示方法は、所定の指示に応じて、複数のサブ画面のそれぞれに映像を表示する映像表示ステップと、前記複数のサブ画面が表示された状態で、前記サブ画面それぞれに対し、ユーザによる指示を受け、トリミング処理を施すトリミングステップと、前記サブ画面毎の前記トリミング処理の情報を記憶する記憶ステップとを具備することを特徴とする。
【発明の効果】
【００１２】
本発明によれば、映像表示装置に表示される映像に対するトリミング処理の有無の設定を保存できる。
【図面の簡単な説明】
【００１３】
【図１】本発明の一実施形態に係る映像表示装置の一例としてのデジタルテレビジョン受信機の構成を示すブロック図。
【図２】同実施形態の映像表示装置を操作するリモートコントローラの外観を示す図。
【図３】同実施形態の映像表示装置において２つのサブ画面を設定する例を示す図。
【図４】同実施形態の映像表示装置においてトリミング処理のオンとオフを切り換える場合の画面遷移図。
【図５】同実施形態の映像表示装置においてトリミング処理のオン・オフ切換、サイズ変更、および操作権切換を行う場合の画面遷移図。
【図６】通常の映像表示装置において、チャンネル切換時にトリミング処理オン／オフの設定が維持されない例を示す画面遷移図。
【図７】同実施形態の映像表示装置において、チャンネル切換時にトリミング処理オン／オフの設定が維持される例を示す画面遷移図。
【発明を実施するための形態】
【００１４】
以下、図面を参照して本発明の実施形態を説明する。
【００１５】
まず、図１を参照して、本発明の一実施形態に係る映像表示装置の一例としてのデジタルテレビジョン受信機を説明する。
【００１６】
デジタルテレビジョン受信機１１は、映像表示器１４、スピーカ１５、操作部１６、受光部１８、カードホルダ７０、７２、ＬＡＮ端子２１、ＨＤＭＩ端子２２、２３、ＵＳＢ端子２４、ｉ．Ｌｉｎｋ端子２５、放送信号入力端子４８、５３、アナログ信号入力端子６０ａ〜６０ｄ、出力端子６３、６４、チューナ４９、５４、５６、カードＩ／Ｆ（インターフェース）６９、７１、通信Ｉ／Ｆ７３、第１のＨＤＭＩ  Ｉ／Ｆ７４、第２のＨＤＭＩ  Ｉ／Ｆ７５、ＵＳＢ  Ｉ／Ｆ７６、ｉ．Ｌｉｎｋ  Ｉ／Ｆ７７、ＰＳＫ復調器５０、ＯＦＤＭ復調器５５、アナログ復調器５７、信号処理部５１、音声処理部５９、グラフィック処理部５８、映像処理部６２、ＯＳＤ信号生成部６１、制御部６５等を備えている。
【００１７】
また、放送信号入力端子４８、および放送信号入力端子５３には、それぞれＢＳ／ＣＳデジタル放送受信用アンテナ４７、および地上波放送受信用アンテナ５２が接続されている。受光部１８は、リモートコントローラ１７から出力される信号を受信する。カードホルダ７０、およびカードホルダ７２には、それぞれ第１のメモリカード１９、および第２のメモリカード２０が装着されている。
【００１８】
制御部６５は、デジタルテレビジョン受信機１１内の各部の動作を制御する。制御部６５は、ＣＰＵ等を内蔵し、ＲＯＭ６６、ＲＡＭ６７、および不揮発性メモリ６８を備える。ＲＯＭ６６には、制御部６５が内蔵するＣＰＵが実行する制御プログラムを格納する。不揮発性メモリ６８には、各種の設定情報、および制御情報が格納される。該ＣＰＵは、処理に必要な命令群、およびデータをＲＡＭ６７にロードし、処理を実行する。
【００１９】
制御部６５には、操作部１６による操作情報、もしくは受光部１８で受信されるリモートコントローラ１７による操作情報が入力される。制御部６５は、この操作内容を反映した各部の制御を行う。
【００２０】
制御部６５は、カードＩ／Ｆ６９を介して、カードホルダ７０に装着された第１のメモリカード１９との情報伝送を行うことができる。同様に、制御部６５は、カードＩ／Ｆ７１を介して、カードホルダ７２に装着された第２のメモリカード２０との情報伝送を行うことができる。
【００２１】
制御部６５は、通信Ｉ／Ｆ７３を介してＬＡＮ端子２１と接続されている。これにより制御部６５は、ＬＡＮ端子２１に接続された、例えばＬＡＮ対応のＨＤＤと、通信Ｉ／Ｆ７３を介して情報伝送を行うことができる。この場合、制御部６５は、ＤＨＣＰ（Dynamic Host Configuration Protocol）サーバ機能を有し、ＬＡＮ端子２１に接続されたＬＡＮ対応のＨＤＤにＩＰ（Internet Protocol）アドレスを割り当てて制御している。
【００２２】
制御部６５は、第１のＨＤＭＩ  Ｉ／Ｆ７４を介して第１のＨＤＭＩ端子２２と接続される。これにより制御部６５は、第１のＨＤＭＩ端子２２に接続された各機器と、第１のＨＤＭＩ  Ｉ／Ｆ７４を介して情報伝送を行うことができる。同様に、制御部６５は、第２のＨＤＭＩ  Ｉ／Ｆ７５を介して第２のＨＤＭＩ端子２３と接続される。これにより制御部６５は、第２のＨＤＭＩ端子２３に接続された各機器と、第２のＨＤＭＩ  Ｉ／Ｆ７５を介して情報伝送を行うことができる。ＨＤＭＩ端子２２、２３に接続される機器としては、例えば、ＡＶアンプ、ＤＶＤレコーダ、ＤＶＤプレーヤ、ＰＣ、ブロードバンドルータ等が挙げられる。
【００２３】
制御部６５は、ＵＳＢ  Ｉ／Ｆ７６を介してＵＳＢ端子２４と接続される。これにより制御部６５は、ＵＳＢ端子２４に接続された各機器と、ＵＳＢ  Ｉ／Ｆ７６を介して情報伝送を行うことができる。ＵＳＢ端子２４に接続される機器としては、携帯電話、デジタルカメラ、カードリーダ／ライタ、ＨＤＤ、キーボード等が挙げられる。
【００２４】
制御部６５は、ｉ．Ｌｉｎｋ Ｉ／Ｆ７７を介してｉ．Ｌｉｎｋ端子２５と接続される。これにより制御部６５は、ｉ．Ｌｉｎｋ端子２５に接続された各機器と、ｉ．Ｌｉｎｋ Ｉ／Ｆ７７を介して情報伝送を行うことができる。ｉ．Ｌｉｎｋ端子に接続される機器には、ＡＶ−ＨＤＤ等がある。
【００２５】
ＢＳ／ＣＳデジタル放送受信用アンテナ４７は、衛星デジタルテレビジョン放送信号を受信し、入力端子４８を介して衛星デジタル放送用のチューナ４９に送る。チューナ４９は、この放送信号から、ユーザが選択しているチャンネルの放送信号を選局する。
【００２６】
ＰＳＫ（Phase Shift Keying）復調器５０は、チューナ４９により選局された放送信号をデジタルの映像信号、および音声信号に復調して、信号処理部５１へ出力する。
【００２７】
地上波放送受信用アンテナ５２は、地上デジタルテレビジョン放送信号、および地上アナログテレビジョン放送信号を受信する。地上デジタルテレビジョン放送信号は、入力端子５３を介して地上デジタル放送用のチューナ５４に送られる。チューナ５４は、この放送信号から、ユーザが選択しているチャンネルの放送信号を選局する。ＯＦＤＭ（Orthogonal Frequency Division Multiplexing）復調器５５は、チューナ５４により選局された放送信号をデジタルの映像信号、および音声信号に復調して、信号処理部５１へ出力する。
【００２８】
また、地上アナログテレビジョン放送信号は、入力端子５３を介して地上アナログ放送用のチューナ５６に送られる。チューナ５６は、この放送信号からユーザが選択しているチャンネルの放送信号を選局する。アナログ復調器５７は、チューナ５６により選局された放送信号をアナログの映像信号及び音声信号に復調して、信号処理部５１へ出力する。
【００２９】
信号処理部５１は、ＰＳＫ復調器５０、もしくはＯＦＤＭ復調器５５から出力されたデジタルの映像信号、および音声信号に対して、所定のデジタル信号処理を施し、グラフィック処理部５８、および音声処理部５９に出力する。
【００３０】
また、信号処理部５１には、複数の入力端子６０ａ、６０ｂ、６０ｃ、６０ｄが接続されている。これらの入力端子６０ａ〜６０ｄはそれぞれ、デジタルテレビジョン受信機１１に対して、外部からアナログの映像信号、および音声信号を入力可能とするものである。
【００３１】
信号処理部５１は、アナログ復調器５７、もしくは各入力端子６０ａ〜６０ｄから出力されたアナログの映像信号、および音声信号をデジタルの映像信号、および音声信号に変換する。次に、信号処理部５１は、デジタル化された映像信号、および音声信号に対して所定のデジタル信号処理を施し、グラフィック処理部５８、および音声処理部５９に出力する。
【００３２】
グラフィック処理部５８は、信号処理部５１から出力されるデジタルの映像信号に、ＯＳＤ（On Screen Display）信号生成部６１で生成されるメニュー等のＯＳＤ信号を重畳して出力する。このグラフィック処理部５８は、信号処理部５１の出力である映像信号と、ＯＳＤ信号生成部６１の出力であるＯＳＤ信号とを選択的に出力することもできる。
【００３３】
グラフィック処理部５８から出力されたデジタルの映像信号は、映像処理部６２に入力される。映像処理部６２は、入力されたデジタルの映像信号を、前記映像表示器１４で表示可能なフォーマットであるアナログ映像信号に変換し、映像表示器１４に出力する。映像表示器１４は、アナログ映像信号に基づき映像を表示する。映像処理部６２はさらに、出力端子６３を介してアナログ映像信号を外部に導出する。
【００３４】
音声処理部５９は、入力されたデジタルの音声信号を、スピーカ１５で再生可能なフォーマットのアナログ音声信号に変換し、スピーカ１５に出力する。スピーカ１５は、アナログ音声信号に基づき音声を再生する。音声処理部５９はさらに、出力端子６４を介してアナログ音声信号を外部に導出する。
【００３５】
図２は、リモートコントローラ１７の外観を示している。このリモートコントローラ１７には、主として、電源キー１７ａ、入力切換キー１７ｂ、二画面キー１７ｃ、衛星デジタル放送チャンネルのダイレクト選局キー１７ｄ、地上波放送チャンネルのダイレクト選局キー１７ｅ、カーソルキー１７ｆ、決定キー１７ｇ、番組表キー１７ｈ、ページ切換キー１７ｉ、ナビゲーションキー１７ｊ、戻るキー１７ｋ、終了キー１７ｌ、青，赤，緑，黄のカラーキー１７ｍ、チャンネルアップダウンキー１７ｎ、音量調整キー１７ｏ、画面サイズキー１７ｐ等が設けられている。制御部６５は、受光部１８を介して、ユーザによる各キーの操作を検出し、操作されたキーに応じた制御を行う。
【００３６】
制御部６５は、受光部１８を介して、リモートコントローラ１７に配置された二画面キー１７ｃの操作を検知すると、映像表示器１４において所定サイズの２つのサブ画面を設定し、サブ画面それぞれに同時に別々の映像を表示する。図３は、映像表示器１４に２つのサブ画面を設定し、サブ画面それぞれに同時に映像を表示した画面の例である。図３において、映像表示器１４はアスペクト比１６：９の画面であり、映像表示器１４に設定される２つのサブ画面もアスペクト比１６：９の画面である。２つのサブ画面は、映像表示器１４の画面内に同一サイズで左右に並べて配置される。また、映像表示器１４のサブ画面以外の画面には、各サブ画面に表示された映像に関する番組情報や操作方法に関する情報等が表示されている。
【００３７】
ここでは、２つのサブ画面の初期状態として左右に並べられたアスペクト比１６：９の同一サイズの２画面を示したが、アスペクト比４：３の同一サイズの２画面、左右のいずれかのサブ画面のサイズが他方に比べて大きい２画面であってもよい。サブ画面のアスペクト比、サイズはユーザ操作によりサブ画面毎に初期状態から変更可能である。
【００３８】
なお、サブ画面に表示される映像は、ＢＳ／ＣＳデジタル放送受信用アンテナ４７により受信される衛星デジタルテレビジョン放送信号、地上波放送受信用アンテナ５２により受信される地上デジタルテレビジョン放送信号、および地上アナログテレビジョン放送信号、各種端子を介して外部機器等から入力される映像信号等から得られる、いずれの映像信号によるものであってもよい。このような映像のうち、ユーザにより選択された２つの映像を用いて、グラフィック処理部５８は、図３に示すような映像を作成する。具体的には、グラフィック処理部５８は、これら２つの映像をそれぞれ設定したサブ画面に表示し、これに番組情報や操作方法に関するＯＳＤ情報を重畳して表示した映像を作成する。作成された映像（映像信号）は、映像処理部６２を介して、映像表示器１４に表示される。
【００３９】
映像表示器１４に２つのサブ画面を設定する場合、トリミングのオン・オフの切換え、単なるサイズ変更等のサブ画面に対するユーザによる操作は、サブ画面毎に切り換えて行う必要がある。本実施形態では、ユーザが操作の対象とする１つのサブ画面に対して操作権を設定する。したがってユーザは、例えば、操作権の設定された第１のサブ画面に対して操作を行い、さらに第２のサブ画面を操作する場合には、操作権の切換を行って、第２のサブ画面に対する操作を行う。ユーザによる操作権の切換は、例えば、リモートコントローラ１７のカーソルキー１７ｆを用いて、操作権を設定するサブ画面を選択する操作により行う。
【００４０】
図３では、左のサブ画面に操作権があり、左のサブ画面の上部に、左のサブ画面に操作権があることを示す「操作」という表示がなされている。ユーザは、この表示により左のサブ画面に操作権があることを視認する。ユーザは、右のサブ画面へ操作権を切り換えたい場合、リモートコントローラ１７のカーソルキー１７ｆのうち、右方向を示すキーを操作する。これにより、操作権は、左のサブ画面から右のサブ画面へ切り換えられ、画面上の「操作」という表示も、左のサブ画面の上部から右のサブ画面の上部へと変更される。「操作」の左側に表示されている「♪」は音声権がどちらのサブ画面にあるか、すなわちどちらのサブ画面の音声がスピーカ１５から出力されているかを示す。音声権も操作権と同様にサブ画面間で切り換えることができる。
【００４１】
制御部６５は、受光部１８を介して、リモートコントローラ１７に配置された画面サイズキー１７ｐの操作を検知すると、サブ画面に表示される映像に対するトリミング処理のオンまたはオフの切換を行う。図４は、トリミング処理のオンまたはオフの切換を行った場合の画面遷移の例を示したものである。二画面キー１７ｃが操作された直後の初期状態では、アスペクト比１６：９である画面１０１には、いずれもアスペクト比１６：９であるサブ画面１、およびサブ画面２が設定されている。サブ画面１、サブ画面２のいずれかのサブ画面（ここでは、サブ画面１）のトリミング処理をオンにすると、画面１０２に遷移する。画面１０２には、左側にアスペクト比４：３であるサブ画面１、右側にアスペクト比１６：９であるサブ画面２が設定されている。画面に設定される各サブ画面の横サイズを一定とした場合、アスペクト比４：３である画面１０２のサブ画面１は、アスペクト比１６：９である他のサブ画面に対して、より大きな面積を占めるサブ画面として表示される。
【００４２】
このためトリミング処理は、例えば、画面１０１のサブ画面１のように、アスペクト比４：３の映像を、その左右に映像の内容と関係しない黒い帯状の部分を付加してアスペクト比１６：９とした映像として表示している場合に有効である。グラフィック処理部５８は、この左右に付加された黒い帯状の部分をトリミング処理によって映像から取り除き、アスペクト比４：３の画像に戻し、さらにその画像を拡大して画面１０２のサブ画面１として表示する。画面１０２のサブ画面１は、トリミング処理により生成されたアスペクト比４：３の映像を表示し、アスペクト比１６：９であるサブ画面２に対して、より大きく表示される。これによりユーザは、無駄な部分を取り除いた映像をより大きなサイズで視聴することができる。
【００４３】
また、映像の重要な部分は、映像の中央付近に捉えられていることが多いとされる。したがって、通常のアスペクト比１６：９の映像にトリミング処理を施し、映像の左端と右端を除き、より大きなサイズの映像として表示するために用いることもできる。
【００４４】
図４では、画面１０１にいずれもトリミングされていない（トリミング処理オフ）サブ画面１、およびサブ画面２が設定されている。また、画面１０１において操作権はサブ画面１に設定されている。ユーザは、画面１０１のサブ画面１に対してトリミング処理をオンにする場合、リモートコントローラ１７に配置される画面サイズキー１７ｐを操作する。これにより、画面１０１に設定されるアスペクト比１６：９のサブ画面１は、画面１０２に設定されるアスペクト比４：３のサブ画面１へと遷移する。
【００４５】
なお、トリミング処理をオフにする場合にも、ユーザは、リモートコントローラ１７に配置される画面サイズキー１７ｐを操作する。これにより例えば、画面１０２に設定されるアスペクト比４：３のサブ画面１は、画面１０１に設定されるアスペクト比１６：９のサブ画面１へと遷移する。
【００４６】
図５は、サブ画面に対するトリミング処理のオンとオフの切換、単なるサイズの変更、およびサブ画面間における操作権の切換による画面遷移の例を示している。まず、二画面キー１７ｃが操作された直後の初期状態では、アスペクト比１６：９である画面２０１には、いずれもアスペクト比１６：９であるサブ画面１、およびサブ画面２が設定されている。また、操作権はサブ画面２に対して設定されている。したがって、画面２０１の右上部に、操作権がサブ画面２にあることを示す「操作」の表示がなされている。
【００４７】
ここで、サブ画面１、サブ画面２にはともにアスペクト比が１６：９の映像が割当てられているとする。サブ画面１、サブ画面２のアスペクト比を１６：９に維持したまま、サブ画面２の映像をサブ画面１の映像より拡大して観たいとする。
【００４８】
ユーザが、リモートコントローラ１７のカーソルキー１７ｆのうち、上方向を示すキーを操作すると、サブ画面２が拡大され、画面２０１は画面２０２へと遷移する。画面２０２には、拡大されたサブ画面２と、サブ画面２の拡大に伴い縮小されたサブ画面１とが設定されている。ユーザがサブ画面２を拡大する操作を行うと、映像表示器１４の画面サイズ、および拡大されたサブ画面２のサイズに合わせて、サブ画面１のサイズが調整して設定される。
【００４９】
上記の拡大の操作とは逆に、画面２０２のサブ画面２を縮小する場合には、ユーザは、リモートコントローラ１７のカーソルキー１７ｆのうち、下方向を示すキーを操作する。画面２０２は画面２０１へと遷移し、画面２０１には、縮小されたサブ画面２と、サブ画面２の縮小に伴い拡大されたサブ画面１が設定される。
【００５０】
次に、画面２０１でサブ画面２の映像が切り替わり、サブ画面２にはアスペクト比が４：３の映像が割り当てられたとする。サブ画面２のアスペクト比は１６：９であるので、サブ画面２には図４の画面１０１のサブ画面１に示すように左右に黒い帯状部分が付加されて表示されている。
【００５１】
ユーザは、リモートコントローラ１７の画面サイズキー１７ｐを操作する。これにより、サブ画面２に対するトリミング処理がオンになり、画面２０１は画面２０３へ遷移する。画面２０３には、サブ画面１とトリミングされたサブ画面２とが設定されている。サブ画面２にはトリミング処理が施され、アスペクト比は１６：９から４：３になり、画像が拡大している。また、サブ画面２の下部には、「トリミング」の表示が付加されている。この表示により、サブ画面２にはトリミング処理された映像が表示されている旨を、ユーザに対して明示している。
【００５２】
次に、ユーザは、サブ画面１に対する操作を行うため、操作権をサブ画面２からサブ画面１へ切り換える。すなわち、ユーザは、リモートコントローラ１７のカーソルキー１７ｆのうち、左方向を示すキーを操作する。この切換に伴い、画面２０３は画面２０４へと遷移する。画面２０４では、操作権をもつ映像がサブ画面２からサブ画面１へと切り換えられたため、画面２０３において右上部にあった「操作」の表示が、画面２０４において左上部へと変更される。
【００５３】
ユーザは、サブ画面１に対するトリミング処理をオンにするため、リモートコントローラ１７の画面サイズキー１７ｐを操作する。これにより、画面２０４は画面２０５へと遷移する。画面２０５には、いずれもトリミング処理が施されたサブ画面１、およびサブ画面２が設定されている。したがって、サブ画面１、およびサブ画面２のいずれについても、アスペクト比は４：３となっている。また、サブ画面１の下部にも、「トリミング」の表示が付加されている。
【００５４】
上述のように、映像の操作権の切換を伴って、トリミング処理のオンとオフを切り換えることで、ユーザは、各サブ画面に対して、それぞれトリミング処理の有無を設定することができる。以下、各映像に設定されるトリミング処理の有無に関する情報をトリミング処理オン／オフ情報という。また、トリミング処理オン／オフ情報と、図５の画面２０１、２０２の遷移のようにユーザによる拡大・縮小の操作によって変更される各サブ画面のサイズに関する情報とを合わせて、サブ画面属性情報と称する。
【００５５】
通常の映像表示装置では、サブ画面属性情報はＲＡＭ６７のワークエリアに格納されているので、電源がオフされると、サブ画面属性情報が失われてしまう。サブ画面属性情報は、サブ画面に対して設定されているのではなく映像に対して設定されているので、チャンネル切換あるいは外部機器の切換等により映像が切り換えられても、やはりサブ画面属性情報が失われてしまう。したがって、電源のオンとオフの切換やチャンネル・外部機器の切換がなされた場合に、図５の画面２０２、２０３に示すようなサブ画面のトリミング処理オン／オフの設定やサブ画面のサイズが維持されず、予め設定された表示形態（例えば、図５の画面２０１）に戻ってしまう。例えば、サブ画面１のトリミング処理をオンにして映像を表示し、チャンネルを切り換えた場合に、予め設定された表示形態であるトリミング処理オフの状態で映像が表示される。図６は、通常の映像表示装置において、チャンネル切換時にトリミング処理オン／オフ情報が失われる例を示した画面遷移図である。
【００５６】
画面３０１には、いずれもアスペクト比が１６：９であるサブ画面１、およびサブ画面２が設定されている。なお、操作権は、サブ画面２に対して設定されている。ユーザは、リモートコントローラ１７に配置された画面サイズキー１７ｐを操作して、サブ画面２に対するトリミング処理をオンに設定する。この操作により、画面３０１は画面３０２へと遷移する。画面３０２のサブ画面２には、画面３０１のサブ画面２に対してトリミング処理を施すことで生成されたアスペクト比４：３の映像が表示される。
【００５７】
ここでユーザは、リモートコントローラ１７に配置された衛星デジタル放送チャンネルのダイレクト選局キー１７ｄ、地上波放送チャンネルのダイレクト選局キー１７ｅ、チャンネルアップダウンキー１７ｎ等を操作して、チャンネルを切り換える。この操作により、画面３０２は画面３０３へ遷移する。チャンネルを切り換える操作により、画面３０２のサブ画面２に表示された映像は、ユーザが指定したチャンネルの映像へと変更される。これと共に、トリミング処理オン情報が失われるので、画面３０２のサブ画面２（トリミングオン）は、画面３０３のサブ画面２（トリミングオフ）へと切り換えられる。つまり、画面３０２のサブ画面２に対するトリミング処理オンの設定は、チャンネル切換後の画面３０３のサブ画面２には反映されない。したがってユーザは、チャンネル切換時毎にサブ画面に対するトリミング処理の設定を行う必要がある。これは、ユーザにとって煩わしい操作であるといえる。
【００５８】
また、デジタルテレビジョン受信機１１を電源オフからオンへ切り換える場合も同様に、直近の電源をオンからオフへと切り換えた際のトリミング処理のオン／オフの設定やサブ画面のサイズが、次に電源をオンにした際の表示には反映されない。したがって、デジタルテレビジョン受信機１１の電源をオンに切り換えたときに毎回、ユーザによる設定を要する。これも、ユーザにとって煩わしい操作であるといえる。
【００５９】
本実施形態では、サブ画面属性情報を、映像毎ではなくサブ画面毎に不揮発性メモリ６８に格納する。また、トリミング処理のオン／オフが切り換えられた場合、もしくはサブ画面の拡大・縮小が行われた場合には、不揮発性メモリ６８に格納されたサブ画面属性情報を更新する。デジタルテレビジョン受信機１１は、不揮発性メモリ６８に格納されたサブ画面属性情報を用いて、電源のオン／オフの切換やチャンネルの切換が起きた場合に、画面に表示される各サブ画面について、設定されたトリミング処理のオン／オフの状態、およびサブ画面のサイズを維持する。つまり、電源のオン／オフの切換やチャンネルの切換の操作によって、表示される各サブ画面に対するトリミング処理のオン／オフの状態、およびサブ画面のサイズが変化しない。
【００６０】
なお、電源オフ時にサブ画面属性情報を保持しなくてもよい場合は、不揮発性メモリ６８ではなくＲＡＭ６７に格納してもよい。この場合でも、サブ画面毎のトリミング処理オン／オフ情報、およびサブ画面サイズ情報をＲＡＭ６７に格納しているので、表示される映像が切り換っても設定されたトリミング処理のオン／オフの状態、およびサブ画面のサイズは維持される。
【００６１】
図７は、本実施形態のデジタルテレビジョン受信機１１において、チャンネルの切換時にサブ画面に設定されたトリミング処理のオン／オフの状態を維持する例を示した画面遷移図である。
【００６２】
画面４０１には、いずれもアスペクト比が１６：９であるサブ画面１、およびサブ画面２が設定されている。サブ画面１、およびサブ画面２は、いずれもトリミング処理オフの状態である。したがって、不揮発性メモリ６８またはＲＡＭ６７には、サブ画面１とサブ画面２がいずれもトリミング処理オフの状態である旨の情報が格納されている。なお、操作権は、サブ画面２に対して設定されている。
【００６３】
ユーザは、リモートコントローラ１７に配置された画面サイズキー１７ｐを操作して、サブ画面２に対するトリミング処理をオンに設定する。この操作により、画面４０１は画面４０２へ遷移する。画面４０２のサブ画面２には、画面４０１のサブ画面２に対してトリミング処理を施すことで生成されたアスペクト比４：３の映像が表示される。また、不揮発性メモリ６８またはＲＡＭ６７に格納された情報は、サブ画面２がトリミング処理オンの状態である旨の更新がされる。
【００６４】
ここでユーザは、リモートコントローラ１７に配置された衛星デジタル放送チャンネルのダイレクト選局キー１７ｄ、地上波放送チャンネルのダイレクト選局キー１７ｅ、チャンネルアップダウンキー１７ｎ等を操作して、チャンネルを切り換える。この操作により、画面４０２は画面４０３へ遷移する。チャンネルを切り換える操作により、画面４０２のサブ画面２に表示された映像は、ユーザが指定したチャンネルの映像へと変更される。これと共に、画面４０２のサブ画面２は、画面４０３のサブ画面２へと切り換えられる。ここで、画面４０３のサブ画面２に対する入力映像信号は、アスペクト比１６：９の映像信号である。このため、画面４０３のサブ画面２には、アスペクト比１６：９の映像信号に対して、不揮発性メモリ６８またはＲＡＭ６７に格納されたサブ画面２のトリミング処理オン／オフ情報に従う処理を施した映像が表示される。サブ画面２に対するトリミング処理はオンの設定であるので、画面４０３のサブ画面２には、アスペクト比１６：９の映像信号に対してトリミング処理を施した映像が表示される。したがって、画面４０３のサブ画面２には、アスペクト比４：３の映像が表示される。つまり、画面４０２のサブ画面２に対するトリミング処理オンの設定は、チャンネル切換後の映像である画面４０３のサブ画面２にも反映されている。チャンネル切換の前後において、画面に表示されるトリミング処理のオン／オフの設定は維持され、ユーザは、チャンネル切換後にあらためてトリミング処理のオン／オフの設定を行う必要がない。
【００６５】
また、デジタルテレビジョン受信機１１を電源オフからオンへ切り換える場合も同様に、直近の電源をオフからオンに切り換えた際のトリミング処理のオン／オフの設定が、次に電源をオンにした際の表示に反映される。したがってユーザは、前回、デジタルテレビジョン受信機１１を使用した際のトリミング処理の設定を反映した表示により映像を視聴することができ、毎回、トリミング処理の設定を行う必要がない。
【００６６】
以上説明したように、本実施形態によれば、画面に設定する各サブ画面に対するトリミング処理のオン／オフの設定情報やサブ画面のサイズ情報をメモリに記憶し、トリミング処理のオン／オフの設定に変更があった場合、もしくはサブ画面の拡大・縮小が行われた場合には、メモリの該情報を更新する。チャンネルの切換がなされた場合には、メモリに格納された、各サブ画面に対するトリミング処理のオン／オフの設定情報やサブ画面のサイズ情報を読み出し、各サブ画面に対するトリミング処理のオン／オフの設定やサブ画面のサイズを維持する。したがって、チャンネルの切換があっても、ユーザは、トリミング処理のオン／オフの設定、サブ画面のサイズ設定をあらためて行う必要がない。さらに、各サブ画面に対するトリミング処理のオン／オフの設定情報やサブ画面のサイズ情報を不揮発性メモリに記憶し、トリミング処理のオン／オフの設定に変更があった場合、もしくはサブ画面の拡大・縮小が行われた場合には、不揮発性メモリの該情報を更新する。電源オフからオンへの切換、もしくはチャンネルの切換がなされた場合には、不揮発性メモリに格納された、各サブ画面に対するトリミング処理のオン／オフの設定情報やサブ画面のサイズ情報を読出し、各サブ画面に対するトリミング処理のオン／オフの設定やサブ画面のサイズを維持する。したがって、電源オフからオンへの切換、もしくはチャンネルの切換があっても、ユーザは、トリミング処理のオン／オフの設定、サブ画面のサイズ設定をあらためて行う必要がない。
【００６７】
なお、本実施形態では、画面に２つのサブ画面を設定する例を示したが、画面に設定するサブ画面の数は３つ以上であってもよい。画面に設定されるサブ画面が３つ以上の場合においても、それぞれのサブ画面に対して本実施形態の動作を適用することで、同様の効果が得られる。
【００６８】
また本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素からいくつかの構成要素を削除してもよい。さらに、異なる実施形態にわたる構成要素を適宜組み合わせてもよい。
【符号の説明】
【００６９】
１１…デジタルテレビジョン受信機、１４…映像表示器、１５…スピーカ、１６…操作部、１７…リモートコントローラ、１８…受光部、１９…第１のメモリカード、２０…第２のメモリカード、２１…ＬＡＮ端子、２２…第１のＨＤＭＩ端子、２３…第２のＨＤＭＩ端子、２４…ＵＳＢ端子、２５…ｉ．Ｌｉｎｋ端子、４７…ＢＳ／ＣＳデジタル放送受信用アンテナ、４８…入力端子、４９…チューナ、５０…ＰＳＫ復調器、５１…信号処理部、５２…地上波放送受信用アンテナ、５３…入力端子、５４…チューナ、５５…ＯＦＤＭ復調器、５６…チューナ、５７…アナログ復調器、５８…グラフィック処理部、５９…音声処理部、６０ａ〜６０ｄ…入力端子、６１…ＯＳＤ信号生成部、６２…映像処理部、６３…出力端子、６４…出力端子、６５…制御部、６６…ＲＯＭ、６７…ＲＡＭ、６８…不揮発性メモリ、６９…カードＩ／Ｆ、７０…カードホルダ、７１…カードＩ／Ｆ、７２…カードホルダ、７３…通信Ｉ／Ｆ、７４…第１のＨＤＭＩ Ｉ／Ｆ、７５…第２のＨＤＭＩ Ｉ／Ｆ、７６…ＵＳＢＩ／Ｆ、７７…ｉ．Ｌｉｎｋ Ｉ／Ｆ。
【図１】
2010093861.tif 000003
【図２】
2010093861.tif 000004
【図３】
2010093861.tif 000005
【図４】
2010093861.tif 000006
【図５】
2010093861.tif 000007
【図６】
2010093861.tif 000008
【図７】
2010093861.tif 000009